(57)【要約】【課題】印刷画像の数に相対する印刷面の追加を容易にするとともに、その複数の印刷画像を極めて容易に展示することができ、その印刷画像の順序を保持した状態で極めて容易に保管することができる印刷媒体と展示用セットを提供する。【解決手段】印刷面１ａと非印刷面からなる平面状の印刷媒体１を複数の折り曲げ線に従って折り曲げ、写真画像を印刷する複数の区画片２が区画される。そして、折り曲げた状態で載置台Ｂに載置することによって、印刷媒体１は展示物として展示される。【選択図】      図１
2005164667.tif 000002
【特許請求の範囲】
【請求項１】
印刷面と非印刷面とからなる平面状の印刷媒体において、
前記印刷面と非印刷面の少なくともいずれか一方に複数の折り曲げ線を備えることで、その複数の折り曲げ線で複数の印刷領域が区画されるとともに、前記折り曲げ線で折り曲げ可能としたことを特徴とする印刷媒体。
【請求項２】
請求項１に記載の印刷媒体において、
前記非印刷面に、前記印刷媒体を前記折り曲げ線で折り曲げたとき、互いに重なり合う前記非印刷面を接着する接着部を設けたことを特徴とする印刷媒体。
【請求項３】
印刷面と非印刷面の少なくともいずれか一方に複数の折り曲げ線を備えることで、その複数の折り曲げ線で複数の印刷領域が区画されるとともに、前記折り曲げ線で折り曲げ可能とした印刷媒体と、
前記印刷媒体を展示するために保持する保持部材と
からなることを特徴とする展示用セット。
【請求項４】
請求項３に記載の展示用セットにおいて、
前記保持部材は、その上面に、前記印刷媒体を圧入固定する溝であって、その溝の平面形状は、所定の角度の折り曲げた状態で前記印刷媒体を固定するためにＶ字形状形成されたことを特徴とする展示用セット。
【請求項５】
請求項３又は４に記載の展示用セットにおいて、
前記印刷媒体を前記折り曲げ線に沿って折り重ねて形成され冊子に背面を固定する背表紙部材を設けたことを特徴とする展示用セット。
【発明の詳細な説明】
【技術分野】
【０００１】
本発明は、印刷媒体と展示用セットに関する。
【背景技術】
【０００２】
従来、写真画像等を印刷した印刷媒体は、部屋等の空間を装飾する用途として広く使用されている。一般に、その印刷媒体は表示用パネルの中に収納され飾り棚等の上に展示されている。その表示用パネルは、印刷媒体を立てて表示させることによって展示効果を向上させている。また、子供の成長記録を示す記念写真やカレンダ等の印刷媒体は、その連続性を示すことによって展示効果を増している。そのため、印刷媒体を収納した複数の表示パネルは、印刷画像の連続性を示す順序に配置される。
【０００３】
そして、印刷媒体の保管には、アルバム等の保管用ファイルが広く用いられている。展示を終了した印刷媒体は、表示用パネルから取り出され、その保管用ファイルにおいて再び連続性を示すように配置収納されている。
【発明の開示】
【発明が解決しようとする課題】
【０００４】
ところが、従来の印刷媒体は、表示する画像の数が増えるにつれて、１つの印刷媒体にそれら画像を印刷する場合、各印刷する画像の大きさを縮小させる必要がある。また、１つの印刷媒体に多数の画像が印刷できない場合、他の新たな印刷媒体に印刷することになり、表示用パネルの数を増加させる必要があった。そのため、印刷媒体の展示効果を劣化させるとともに展示における適応性を欠くといった問題がある。また印刷媒体は、表示用パネルへの収納及びその取り出し、さらには保管用ファイルへの収納といった複数回の移載作業を必要とされ、便利性を欠くといった問題がある。
【０００５】
本発明は、印刷画像の数に相対する印刷面の構成を容易にするとともに、その複数の印刷画像を極めて容易に展示することができ、さらに印刷画像の順序を保持した状態で極めて容易に保管することができる印刷媒体と展示用セットを提供することにある。
【課題を解決するための手段】
【０００６】
本発明の印刷媒体は、印刷面と非印刷面とからなる平面状の印刷媒体において、前記印刷面と非印刷面の少なくともいずれか一方に複数の折り曲げ線を備えることで、その複数の折り曲げ線で複数の印刷領域が区画されるとともに、前記折り曲げ線で折り曲げ可能とした。
【０００７】
本発明の印刷媒体によれば、印刷媒体を折り曲げることによって、１つの印刷媒体に、複数の印刷領域が区画形成される。従って、印刷画像の数に相対する印刷面の構成を容易にすることができるとともに、その複数の印刷画像を極めて容易に展示することができる。また、印刷媒体は印刷面を折り重ねることが可能であるため、展示を終了した後は折りたたんで保管できる。
【０００８】
この印刷媒体において、前記非印刷面に、前記印刷媒体を前記折り曲げ線で折り曲げたとき、互いに重なり合う前記非印刷面を接着する接着部を設けてもよい。
この印刷媒体によれば、印刷媒体を折り曲げ線で折り曲げ、互いに重なり合う非印刷面が接着されることによって、各印刷領域に印刷された印刷画像が見開きできる冊子をつくることができる。
【０００９】
本発明の展示用セットは、印刷面と非印刷面の少なくともいずれか一方に複数の折り曲げ線を備えることで、その複数の折り曲げ線で複数の印刷領域が区画されるとともに、前記折り曲げ線で折り曲げ可能とした印刷媒体と、前記印刷媒体を展示するために保持する保持部材とからなる。
【００１０】
本発明の展示用セットによれば、印刷媒体は、折り曲げることによって１つの印刷媒体に、複数の印刷領域が区画形成され、その各印刷領域のそれぞれに印刷画像を印刷することができる。そして、複数の印刷領域のそれぞれに印刷画像を印刷した印刷媒体は保持手段にて保持され展示される。
【００１１】
この展示用セットにおいて、前記保持部材は、その上面に、前記印刷媒体を圧入固定する溝であって、その溝の平面形状は、所定の角度の折り曲げた状態で前記印刷媒体を固定するためにＶ字形状形成してもよい。
【００１２】
この展示用セットによれば、保持部材は展示物としての印刷媒体を所定の折り曲げ角度へ固定し展示することができる。
この展示用セットにおいて、前記印刷媒体を前記折り曲げ線に沿って折り重ねて形成され冊子に背面を固定する背表紙部材を設けてもよい。
【００１３】
この展示用セットによれば、冊子になった印刷媒体を背表紙部材によって強固に製本されアルバム等して保管することができる。
【発明を実施するための最良の形態】
【００１４】
（第１実施形態）
以下、本発明を具体化した一実施形態を、図１〜図３に従って説明する。
図１は印刷媒体１を展示した状態を示す斜視図、図２は折り重ねた印刷媒体を非印刷面からみた斜視図、図３（ａ）（ｂ）は画像等を印刷する前の印刷媒体の正面図及び背面図、図４は印刷媒体の保管状態を説明する斜視図である。
【００１５】
図１において、写真画像が印刷された印刷媒体１は、載置台Ｂの上に載置されて展示物として展示されている。印刷媒体１は、６重に折り曲げ形成され、折り曲げ形成されることによって、その折り曲げ部を境に６個の区画片２が形成されている。そして、各区画片２の表面（印刷媒体１の表面である印刷面１ａ）側が、印刷領域を構成する印刷表示部２ａとしている。６個の印刷表示部２ａのそれぞれに写真画像を印刷した印刷媒体１は、印刷面１ａを正面にして屏風のように載置台Ｂに立設されて展示される。
【００１６】
写真画像が印刷される前の印刷媒体１は、図３に示すように帯状の印刷用紙であって、本実施形態では、横幅が１２６０ｍｍ、縦幅が２９７ｍｍの長四角形状をしている。印刷媒体１の厚みは、折り曲げ形成して屏風のように載置台Ｂに立設するとき、その自重によって折れ曲がって立設しないことのない厚みにしている。
【００１７】
印刷媒体１の印刷面１ａには、全体に写真を印刷するのに適した写真印刷用の表面処理が施されている。一方、印刷媒体１の裏面である非印刷面１ｂには、図３（ｂ）に示すように、５本の折り曲げ線Ｌが長手方向（横幅方向）に等間隔に印刷されている。なお、印刷した折り曲げ線Ｌの近傍位置には、「山折り」、「谷折り」といった折り曲げ方向を示す指標４が印刷されている。従って、事前に印刷された折り曲げ線Ｌに従って図３に示す印刷媒体１を、折り曲げると、図１に示す６重の折り曲げられた形態になる。なお、６個の区画片２は、それぞれ同サイズであって、横幅が２１０ｍｍ、縦幅が２９７ｍｍとなる。
【００１８】
一方、印刷媒体１の非印刷面１ｂには、各区画片２に対応する位置にあってその中央上下位置に、接着部５が設けられている。各接着部５は、各区画片２が互いに重なるように折り曲げたとき、谷折りで向かい合う区画片２同士に設けた接着部５が相対向するように配置形成されている。接着部５は、接着剤が塗布されていて、水等で湿らすことによって接着性を有する。従って、各区画片２が互いに重なるように折り曲げて相対向する接着部５同士が接着することによって、図４に示すように、印刷媒体１を、各区画片２の印刷表示部２ａ（印刷面１ａ）を見開きできる６頁の冊子とすることができる。
【００１９】
また、非印刷面１ｂには印刷媒体１の取り扱い方法を印刷した説明部６が設けられている。この説明部６には、印刷媒体１を展示するときの折り曲げ方法や、前記冊子にして保管する方法等が記載されている。
【００２０】
次に、上記のように構成された印刷媒体１の使用方法について説明する。
今、印刷面１ａに何も印刷されていない状態の印刷媒体１に、図示しないプリンタを使って６枚の写真画像を印刷する。このとき、折り曲げたときに形成される６個の区画片２の印刷表示部２ａに対応する位置に、それぞれ写真画像を印刷する。
【００２１】
写真画像を印刷すると、指標４に従って折り曲げ線Ｌに沿って印刷媒体１を所定の角度に折り曲げる。これによって、６重に折り曲げ形成され、各区画片２の印刷表示部２ａにそれぞれ写真画像が印刷された印刷媒体１が展示物として完成する。そして、展示物としての印刷媒体１は、その印刷面１ａを正面にして屏風のように載置台Ｂに立設することによって展示されることになる。
【００２２】
次に、展示していた印刷媒体１を保管する場合について説明する。
まず、印刷媒体１の非印刷面１ｂに設けた接着部５を水等で湿らし接着性を有するようにする。そして、印刷媒体１を、各区画片２が互いに重なるように折り曲げて重なり合う接着部５同士を互いに接着させる。これによって、印刷媒体１は、各区画片２の印刷表示部２ａが見開きできる６頁の冊子になる。このとき、この冊子の背面に固定するテープ（図示しない）が貼り付けられる。そして、最後に、印刷媒体１の背面を支持する展示用セットを構成する背表紙部材７を冊子に装着することによって製本されたアルバムが完成する。アルバムは、例えば本棚に入れて保管すれば何時でも見られる状態で保管することができる。
【００２３】
上記実施形態の印刷媒体と展示用セットによれば、以下のような効果を得ることができる。
（１）上記実施形態では、印刷媒体１を折り曲げ線Ｌに従って６重に折り曲げ形成した。そして、折り曲げ形成することによって、載置台Ｂに立設させることができるようにした。
【００２４】
また、折り曲げ形成することによって形成された６個の区画片２の印刷表示部２ａに写真画像を印刷したので、展示物としての印刷媒体１を安定した状態で載置台Ｂに載置し展示することができる。
【００２５】
（２）上記実施形態では、折り曲げ形成することによって形成された６個の区画片２の印刷表示部２ａにそれぞれ写真画像を印刷できるようにした。従って、６個の区画片２の印刷表示部２ａに印刷される写真画像のそれぞれについて、例えば、左右方向に時系列的に意味のある写真画像を印刷できるため、印刷媒体１の並べ替えをすることなく連続性を示す写真画像を容易に展示することできる。
【００２６】
（３）上記実施形態では、帯状の印刷媒体１の非印刷面１ｂに接着部５を設け、互いに
接着させることができるようにした。そのため、印刷媒体１を、折りたたまれた状態を保持すること、即ち冊子にすることが可能となり、その専有面積を縮小させて保管することができる。
【００２７】
（４）上記実施形態では、折たたまれて冊子になった印刷媒体１の背面を背表紙部材７によって挟持させた。従って、接着部５の接着効果を向上させることが可能となり、装飾性のある背表紙部材を有する印刷媒体１として保管することができる。更に、冊子になって保管されている各区画片２の印刷表示部２ａに印刷された写真画像の順序は、展示しているときと同順序に保持されるため、その連続性を示す状態を容易に保管することができる。
【００２８】
（第２実施形態）
次に、本発明を具体化した第２実施形態を図５に従って説明する。なお、第２実施形態では、第１実施形態で示し印刷媒体１を立設支持する展示用セットを構成する展示用補助具に特徴を有するため、その補助用補助具について詳細に説明する。
【００２９】
図５において、写真画像が印刷された印刷媒体１は、保持部材１１に支持固定されて展示物として展示されている。保持部材１１は、略円盤形状をなし、載置台Ｂ上に安定して配置される。その保持部材１１は、その上面には、平面Ｖ字形状の凹溝１２が形成されている。その凹溝１２は、その溝幅は印刷媒体１の厚さより短く、印刷媒体１が圧入されて同印刷媒体１が同凹溝１２に立設支持される幅である。平面Ｖ字形状字形状の凹溝１２のＶ字角度は、本実施形態では９０度にしている。
【００３０】
これによって、６重の折り曲げ形成された印刷媒体１の下側を、保持部材１１の凹溝１２の平面Ｖ字形状に合わせて、凹溝１２に圧入させる。これによって、凹溝１２に圧入させた印刷媒体１は、折り曲げられた状態で保持部材１１にて支持される。しかも、凹溝１２のＶ字角度が９０度なので、凹溝１２に圧入された箇所の区画片２の折り曲げ角度は９０度に保持される。
【００３１】
上記実施形態によれば、以下のような効果を得ることができる。
（１）上記実施形態では、折り曲げ形成された印刷媒体１を保持部材１１に形成した凹溝１２にて案内支持させた。そのため、第１実施形態に記載の効果に加えて、立設した印刷媒体１をより安定した状態で展示させることができる。
【００３２】
（２）上記実施形態では、保持部材１１の凹溝１２の平面形状をＶ字形状とした。従って、折り曲げ形成された印刷媒体１は、そのＶ字形状に沿った折り曲げ形状に規格化することが可能となる。更に、第１実施形態に記載の効果に加えて印刷面１ａを視認可能な折り曲げ角度に固定でき展示効果の向上を図ることができる。
【００３３】
なお、上記実施形態は以下のように変更してもよい。
○上記実施形態の印刷媒体１において、折り曲げ線Ｌは印刷したがＵ字溝からなる折れ目や、印刷媒体１を貫通する複数の貫通孔によって形成されるミシン目としてもよい。
【００３４】
○上記各実施形態の印刷媒体１において、前記印刷表示部２ａに写真画像を印刷したが、これに限定されるものではなく、例えば、カレンダを印刷してもよい。これによって、例えば６ヶ月間のカレンダが連続してみることができる。
【００３５】
○上記実施形態では、印刷媒体１を冊子にして保管したが、区画片２毎に切り離して保管してもよい。
○上記実施形態における印刷媒体１と保持部材１１からなる展示用セットの販売は、印
刷媒体１と印刷媒体用のプリンタとを有する印刷業者から、使用者に対して行われるのが好ましい。例えば、使用者が使用者用の端末から印刷業者のサーバに接続し、電子化された画像情報から目的とする印刷画像の選択をするとともに印刷した印刷媒体１を含む展示用セットの発送をコンピュータネットワークを介して発注する。受注した印刷業者は、印刷媒体１に選択された印刷画像を印刷するとともに、その印刷媒体１を含む展示用セットを使用者に配送する。
【００３６】
○第１実施形態において、印刷媒体１を折り曲げ線Ｌにおいて折り曲げて展示するようにした。これを折れ曲がらない状態で、印刷面１ａを上にしてテーブル等の上に単に置くようにして展示してもよい。また壁等の平面に、接着部５によって接着して展示を行ってもよい。
【００３７】
○第１実施形態において、接着部５は水等で湿らせて接着せ有する接着剤を塗布したものだが、例えば、両面粘着テープや、非印刷面１ｂに取り付けない粘着面を被覆シートによって保護する接着部であってもよい。
【００３８】
○上記実施形態では、折り曲げ線Ｌを非印刷面１ｂに印刷したが、印刷面１ａ、または、非印刷面１ｂと印刷面１ａの両方に印刷してもよい。
【図面の簡単な説明】
【００３９】
【図１】第１実施形態の展示される印刷媒体の展示状態を示す斜視図。
【図２】同じく、印刷媒体を折り重ねた状態を説明するために印刷媒体を非印刷面からみた斜視図。
【図３】同じく、印刷前の印刷媒体を説明する説明図であって、（ａ）は印刷媒体の正面図、（ｂ）は印刷媒体の背面図。
【図４】同じく、印刷媒体を保管状態した状態を説明するための斜視図。
【図５】第２実施形態の保持部材に印刷媒体を取り付けた状態をしめす斜視図。
【符号の説明】
【００４０】
Ｂ…載置台、Ｌ・・・折り曲げ線、１・・・展示用セットを構成する印刷媒体、１ａ・・・印刷面、１ｂ・・・非印刷面、５・・・接着部、７・・・展示用セットを構成する背表紙部材、１１・・・展示用セットを構成する保持部材、１２…凹溝。
【図１】
2005164667.tif 000003
【図２】
2005164667.tif 000004
【図３】
2005164667.tif 000005
【図４】
2005164667.tif 000006
【図５】
2005164667.tif 000007